(57)【要約】【課題】  キーレスエントリのキーを車内に置き忘れたことを検出して、キーを車内に置き忘れた場合には携帯装置により遠隔操作が可能な遠隔操作装置を提供すること。【解決手段】  第１の携帯装置１８から遠隔操作により車載装置１７を操作可能な車両の遠隔操作装置１０において、第１の携帯装置１８が車内にあるか否かを判定する携帯装置判定手段１９と、車両の運転者と自車両との距離が所定以上か否かを判定する距離判定手段１６と、を有し、携帯装置判定手段１９により第１の携帯装置１８が車内にあると判定された場合であって、距離判定手段１６により運転者が自車両と所定以上離れていると判定された場合、遠隔地から車載装置１７の操作が可能な第２の携帯装置１１による該車載装置１７の操作を許可する、ことを特徴とする。【選択図】  図２
2006316455.tif 000002
【特許請求の範囲】
【請求項１】
第１の携帯装置から遠隔操作により車載装置を操作可能な車両の遠隔操作装置において、
前記第１の携帯装置が車内にあるか否かを判定する携帯装置判定手段と、
車両の運転者と自車両との距離が所定以上か否かを判定する距離判定手段と、を有し、
前記携帯装置判定手段により前記第１の携帯装置が車内にあると判定された場合であって、前記距離判定手段により前記運転者と自車両との距離が所定以上離れていると判定された場合、遠隔地から車載装置の操作が可能な第２の携帯装置による該車載装置の操作を許可する、
ことを特徴とする遠隔操作装置。
【請求項２】
車両に乗員がいるか否かを判定する乗員判定手段を有し、
前記乗員判定手段により車内に乗員がいないと判定された場合、前記第２の携帯装置により前記車載装置の操作を許可する、
ことを特徴とする請求項１記載の遠隔操作装置。
【請求項３】
前記距離判定手段は、車両の運転者が携帯する前記第２の携帯装置と自車両との距離に基づき、運転者と車両との距離が所定以上か否かを判定する、
ことを特徴とする請求項１又は２記載の遠隔操作装置。
【請求項４】
第１の携帯装置から遠隔操作により車載装置を操作可能な車両の遠隔操作装置において、
前記第１の携帯装置が車内にあるか否かを判定する携帯装置判定手段と、
車両の運転者と自車両との距離が所定以上か否かを判定する距離判定手段と、を有し、
前記携帯装置判定手段により第１の携帯装置が車内にあると判定された場合に、
前記距離判定手段により前記運転者と自車両との距離が所定以上離れていると判定された場合、車内に前記第１の携帯装置が置き忘れられたと判定し運転者にその旨を通知する、
ことを特徴とする遠隔操作装置。
【請求項５】
車内に前記第１の携帯装置が置き忘れられたと判定された場合、前記第１の携帯装置による車載装置の操作を制限し、遠隔地から前記車載装置の操作が可能な第２の携帯装置による前記車載装置の操作を許可する、
ことを特徴とする請求項４記載の遠隔操作装置。
【請求項６】
前記距離判定手段は、車両の運転者が携帯する前記第２の携帯装置と自車両との距離に基づき、運転者と車両との距離が所定以上か否かを判定する、
ことを特徴とする請求項５記載の遠隔操作装置。
【発明の詳細な説明】
【技術分野】
【０００１】
本発明は、車両の遠隔操作装置に関し、特に、携帯装置により遠隔地から車載装置を操作可能な遠隔操作装置に関する。
【背景技術】
【０００２】
車両に近づくだけでドアのアンロックができ、また、車両から離れるだけでドアのロックを可能とするキーレスエントリシステムが知られている。また、キーレスエントリシステムのキーに遠隔操作の機能を搭載し、キーから信号を車両に送信して信号に応じた制御を車両に行わせることも多い。キーレスエントリシステムによれば、キーからの遠隔操作により、車外からドアのロック／アンロックに加え、ウィンドウやスライドルーフの開閉、エアコンの操作、等を行うことが可能となる（例えば、特許文献１参照。）。
【０００３】
遠隔装置では、誤って操作を行った場合、運転者が車両から離れていると操作に応じた制御が行われたことに気づかないので、例えば、知らないうちにドアがアンロックされる等の不都合が生じるおそれがある。このため、特許文献１記載の遠隔操作措置では、自車両からの距離に応じてキーレスエントリにより操作できる操作範囲を制限することで、誤った操作による不都合の発生を防止すると共に、車両から所定の距離離れた位置からも制御できた方が便利な機能の遠隔操作を可能とする。なお、制限とは、車載装置の全て又は一部の操作を禁止する場合を含む。
【０００４】
しかしながら、特許文献１記載の遠隔操作装置では、キーを車両に置き忘れてしまった場合について記載されていない。このため、該遠隔操作装置では、車両にキーを置き忘れると、ドアのロック等がなされないまま車両が放置されるおそれがあるという問題がある。
【０００５】
ところで、所定のサービスセンタを仲介して、携帯装置からドアのロック等を遠隔操作により可能とする遠隔操作システムが提案されている。該遠隔操作システムを利用すれば、キーレスエントリシステムを用いなくてもドアのロック等、車両の操作を行うことができる。
【特許文献１】特開平７−５９１６５号公報
【発明の開示】
【発明が解決しようとする課題】
【０００６】
しかしながら、遠隔操作システムでは、車内に乗員が存在する場合、そもそも携帯装置を用いて遠隔操作する必要がないことや乗員に不測の事態を生じさせないため、携帯装置による操作内容を受けつけないように設計されていることが多い。また、車内に乗員が存在するか否かをキーレスエントリのキーが所定の電波に応答するか否かに基づき判定する場合、キーを車内に置き忘れることで運転者が車内にいるものと判定され、遠隔操作が受けつけられない。したがって、かかる場合、ドアのロック等がなされないまま車両が放置され、かつ、携帯装置を用いた遠隔装置によりドアのロック等もできないという不都合を生じる。
【０００７】
本実施例は、上記問題に鑑み、キーレスエントリのキーを車内に置き忘れたことを検出して、キーを車内に置き忘れた場合には携帯装置により遠隔操作が可能な遠隔操作装置を提供することを目的とする。
【課題を解決するための手段】
【０００８】
上記問題を解決するため、本発明は、第１の携帯装置（例えば、携帯装置１８）から遠隔操作により車載装置を操作可能な車両の遠隔操作装置において、第１の携帯装置が車内にあるか否かを判定する携帯装置判定手段（例えば、キーレスエントリ装置１８）と、車両の運転者と自車両との距離が所定以上か否かを判定する距離判定手段１６と、を有し、携帯装置判定手段により第１の携帯装置が車内にあると判定された場合であって、距離判定手段により運転者が自車両と所定以上離れていると判定された場合、遠隔地から車載装置の操作が可能な第２の携帯装置（例えば、携帯装置１１）による該車載装置の操作を許可する、ことを特徴とする。
【０００９】
本発明によれば、キーレスエントリのキーを車内に置き忘れたことを検出して、キーを車内に置き忘れた場合には携帯装置により遠隔操作が可能な遠隔操作装置を提供することができる。
【００１０】
また、本発明の遠隔操作装置の一形態において、車両に乗員がいるか否かを判定する乗員判定手段を有し、乗員判定手段により車内に乗員がいないと判定された場合、第２の携帯装置により車載装置の操作を許可する、ことを特徴とする。
【００１１】
本発明によれば、乗員がいないことが判定された場合に、第２の携帯装置による車載装置の操作を許可するので、より確実にキーレスエントリのキーを車内に置き忘れたことを検出できる。
【００１２】
また、本発明の遠隔操作装置の一形態において、距離判定手段は、車両の運転者が携帯する第２の携帯装置と自車両との距離に基づき、運転者と車両との距離が所定以上か否かを判定する、ことを特徴とする。
【００１３】
本発明によれば、車両と運転者の距離を第２の携帯装置の位置に基づき判定するので、運転者と車両との距離が所定以上か否かを正確に判定できる。
【００１４】
また、本発明は、第１の携帯装置から遠隔操作により車載装置を操作可能な車両の遠隔操作装置において、第１の携帯装置が車内にあるか否かを判定する携帯装置判定手段と、車両の運転者と自車両との距離が所定以上か否かを判定する距離判定手段と、を有し、携帯装置判定手段により第１の携帯装置が車内にあると判定された場合に、距離判定手段により運転者が自車両と所定以上離れていると判定された場合、車内に前記第１の携帯装置が置き忘れられたと判定し運転者にその旨を通知する、ことを特徴とする。
【００１５】
本発明によれば、キーレスエントリのキーを車内に置き忘れたことを検出して、キーを車内に置き忘れた場合には、運転者にその旨を通知することができる。
【００１６】
また、本発明の遠隔操作装置の一形態において、車内に第１の携帯装置が置き忘れられたと判定した場合、第１の携帯装置による車載装置の操作を制限し、遠隔地から車載装置の操作が可能な第２の携帯装置による車載装置の操作を許可する、ことを特徴とする。
【００１７】
本発明によれば、第１の携帯装置による車載装置の操作を制限するので、第三者による車載装置の操作を防止でき、また、第２の携帯装置による車載装置の操作を許可するので、遠隔操作によりドアのロックなどセキュリティを確保することができる。
【００１８】
また、本発明の遠隔操作装置の一形態において、距離判定手段は、車両の運転者が携帯する第２の携帯装置と自車両との距離に基づき、運転者と車両との距離が所定以上か否かを判定する、ことを特徴とする。
【発明の効果】
【００１９】
キーレスエントリのキーを車内に置き忘れたことを検出して、キーを車内に置き忘れた場合には携帯装置により遠隔操作が可能な遠隔操作装置を提供することができる。
【発明を実施するための最良の形態】
【００２０】
以下、本発明を実施するための最良の形態について、図面を参照しながら実施例を挙げて説明する。
【００２１】
図１は、遠隔操作により車載装置の操作が可能な遠隔操作装置が適用されたリモート制御システムの全体構成図を示す。図１のリモート制御システムでは、携帯装置１１又は携帯装置１８により遠隔操作装置１０が有する車載装置１７の遠隔操作が可能となる。
【００２２】
携帯装置１１は、例えば携帯電話により構成され、操作ボタンの操作に応じて操作信号を送信する。操作信号は、携帯電話網やネットワークを介しセンタ１２に送信され、センタ１２からユーザ（例えば、車両の運転者）の車両に車載された受信装置１３に送信される。
【００２３】
受信装置１３は、センタ１２から送信された操作信号を受信回路により受信して、センタ１２から送信された操作信号を復調する。復調された操作信号はコントローラ５に送出され、コントローラ５はユーザの操作の内容を判別し、判別結果に応じて車載装置１７を制御する。
【００２４】
車載装置１７は、例えば、ドア、ウィンドウ、スライドルーフ、エアコン、セキュリティ装置等であり、コントローラ１４は、ドア、ウィンドウ、スライドルーフを開閉させるアクチュエータ駆動し、また、エアコン、セキュリティ機能のオンオフ等を制御する。
【００２５】
携帯装置１８は、固有のＩＤコードを記憶し該ＩＤコードを発信する発信手段とを備えた例えばスマートキー（登録商標）である。コントローラ１４は、携帯装置１８が検出されるとドアをアンロックし、また、携帯装置１８が検出されなくなるとドアをロックする、いわゆるキーレスエントリを可能とする。なお、携帯装置１１又は携帯装置１８は、全ての車載装置１７を操作できなくてもよく、また、操作可能な車載装置１７が互いに異なっていてもよい。
【００２６】
キーレスエントリ装置１９は、携帯装置１８を所持したユーザの接近を検知するものであり、具体的には、リクエスト信号を発信して、携帯装置１８がリクエスト信号に応答して送信したＩＤコードを受信する。キーレスエントリ装置１９は、受信したＩＤコードが、キーレスエントリ装置１９に格納されているＩＤコードと等しいか否かを照合し、照合されればコントローラ１４にＩＤコードが照合された旨の信号を出力する。
【００２７】
コントローラ１４は、ＩＤコードが照合されると、ドアのアンロックを行い、また、携帯装置１８により引き続き操作が行われた場合、操作内容に応じてウィンドウの開閉等の制御を行う。コントローラ１４は、携帯装置１８が検出されなくなると、ドアのロックを行う。
【００２８】
また、キーレスエントリ装置１９は、リクエスト信号を発信しても、携帯装置１８からＩＤコードを受信しない場合、車両から所定範囲に携帯装置１８が存在しないこと、又は、携帯装置１８は運転者が携帯しているので運転者が所定範囲に存在しないことを検出する。
【００２９】
なお、携帯装置１８による操作は、キーレスエントリ装置１９とのリクエスト信号やＩＤコードの送受信が可能な距離に制限されるので、携帯装置１１に比べ車両から近距離の範囲に限られる。
【００３０】
ところで、携帯装置１８からキーレスエントリ装置１９に送信されるＩＤコード等を搬送する電波の強度は、携帯装置１８とキーレスエントリ装置１９との距離に応じて減少する。かかる関係を利用すれば携帯装置１８とキーレスエントリ装置１９とのおよその距離を検出できる。例えば、車内に携帯装置１８がある場合の電波強度を予め測定しておき、かかる電波強度を閾値として携帯装置１８が車内あるか否かを判定できることとなる。キーレスエントリ装置１９は、携帯装置１８から送信される電波強度に基づき携帯装置１８が車内にあるか否かを検出する携帯装置検出手段の機能を提供する。
【００３１】
距離判定手段１６は、運転者と自車両との距離が所定以上か否かを判定する。自車両は、ＧＰＳ（Global Positioning System）を搭載しており、ＧＰＳ衛星から送信される衛星測位情報の到達時間とＧＰＳ衛星の軌道情報に基づき現在の位置を検出する。
【００３２】
また、運転者は携帯装置１１を携帯しているので、携帯装置１１の位置により運転者の位置を把握できることとなる。携帯装置１１は、同様にＧＰＳにより携帯装置１１の現在位置を検出でき、また、携帯装置１１の基地局との電波強度に基づき現在位置を検出できる。携帯装置１１がかかる位置情報をセンタ１２を介し車両に送信することで、距離判定手段１６は、携帯装置１１と自車両との相対距離を算出でき、携帯装置１１と自車両との距離が所定以上か否かを判定できる。
【００３３】
なお、携帯装置１１と自車両との距離が所定以上か否かは、例えば、携帯装置１１から近距離用の電波を発信し、車両から応答が得られるか否かにより判定してもよい。また、携帯装置１１と自車両との間の所定以上の距離とは、車両周辺に運転者がいると判断できる程度の距離をいう。
【００３４】
侵入センサ１５は、車内に乗員がいる場合にこれを検出する。侵入センサ１５は、例えば、侵入者の発する赤外線を検出する赤外線センサや、シートに加わる荷重を検出する荷重センサであり、これらにより車内に乗員がすることを検出する。また、侵入センサ１５は、車両に加わる振動を検出する振動センサ、車両のドアの開閉を検出する開閉検出センサ、窓ガラスが割れた時の振動を検出するガラスセンサ、車両のドアを開けることによって生ずる車内の圧力変化を検出する圧力センサ、等により構成され、これらのセンサが各センサの検出値に設定された閾値を超えた場合、車内に侵入した者がいること、すなわち、車内に乗員がいることを検出する。
【実施例１】
【００３５】
図１のリモート制御システムにより車載装置１７の遠隔操作を行う処理の流れを図２のフローチャート図に基づき説明する。
【００３６】
ユーザは、携帯装置１１を用いて、遠隔操作により可能な所望の操作を行う（Ｓ１１）。例えば、ユーザは、センタ１２のサーバに接続し、ユーザＩＤ又は携帯電話固有のＩＤと共にパスワードを入力してセンタ１２から認証を受け、センタ１２がＨＴＭＬ等で提供する内容を携帯装置１１に表示し、所望の操作を選択する。センタ１２は、ユーザを認証すると、携帯装置１１から送信された遠隔操作の制御信号を車両の遠隔操作装置１０へ送信する。
【００３７】
遠隔操作装置１０は、当該遠隔操作を受け付けるか否かを判定する。車内に乗員がいる場合、遠隔操作により車載装置１７を操作する必要がないものとして、該遠隔操作は、受けつけられないように設計されている。このため、遠隔操作装置１０は、侵入センサ１５により、車内に乗員がいるか否かを判定する（Ｓ１２）。
【００３８】
車内に乗員がいると判定された場合（ステップＳ１２のＹｅｓ）、遠隔操作装置１０は遠隔操作を受けつけない（Ｓ１３）。遠隔操作を受信したが、車内に乗員が検出された場合、車内を撮影してユーザに送信し当該乗員を判別する等の泥棒検出処理を行ってもよい。
【００３９】
車内に乗員がいないと判定された場合（ステップＳ１２のＮｏ）、キーレスエントリ装置１９は、車内に携帯装置１８があるか否かを判定する（Ｓ１４）。
【００４０】
車内に乗員がおらずかつ車内に携帯装置１８がない場合（ステップＳ１４のＮｏ）、ユーザは携帯装置１８を携帯して、すなわち、意識して車両から離れたと推定できるので、遠隔操作装置は遠隔操作を受け付け、所定の車載装置１７を制御する（Ｓ１６）。
【００４１】
車内に乗員がおらずかつ車内に携帯装置１８がある場合（ステップＳ１４のＹｅｓ）、携帯装置１８が車内に置き忘れられた可能性があるため、遠隔操作装置は、距離判定手段１６により、携帯装置１１と自車両との距離が所定以上であるか否かを判定する（Ｓ１５）。かかる判定により、一時的に車両を離れ車両周辺にユーザ（運転者）がいるのか、携帯装置１８を置き忘れたのか、を判定できる。
【００４２】
したがって、携帯装置１１と自車両との距離が所定以上でない場合（ステップＳ１５のＮｏ）、車両周辺にユーザがいるため、遠隔操作により車載装置１７を操作する必要がないとして遠隔操作装置は遠隔操作を受けつけない（Ｓ１３）。
【００４３】
なお、携帯装置１１と自車両との距離が所定以上であるか否かは、遠隔操作装置が遠隔操作の制御信号を受信した際に判定してもよい。この場合、携帯装置１１と自車両との距離を判定した時点で、遠隔操作を受けつけられない旨を携帯装置１１に送信する。
【００４４】
携帯装置１１と自車両との距離が所定以上の場合（ステップＳ１５のＹｅｓ）、ユーザが携帯装置１１を車内に置き忘れたと判定して、遠隔操作装置１０は遠隔操作を受け付け、所定の車載装置１７を制御する（Ｓ１６）。これにより、携帯装置１８を車内に置き忘れた場合、置き忘れられたことを確実に判定し、車内に携帯装置１８が存在しても遠隔操作による車載装置１７の操作が可能となる。
【００４５】
次いで、遠隔操作装置は、遠隔操作の受信結果をセンタ１２を介して携帯装置１１へ送信する（Ｓ１７）。遠隔操作を受けつけないと判定した場合はその旨及び理由を、遠隔操作を受けつけた場合は操作内容と制御結果を、携帯装置１１へ送信する。ユーザは、遠隔操作による車載装置１７の制御が行われたか否か、行われなった場合にはその理由を確認できる。
【００４６】
以上のように、本実施例の遠隔操作装置は、携帯装置１８が車内に置き忘れられていることを確実に判定して、遠隔操作により車載装置を操作することができる。
【実施例２】
【００４７】
本実施例では、車内に携帯装置１８が置き忘れられたことを検出して運転者に通知する遠隔操作装置について説明する。図３は、遠隔操作装置が、車内に携帯装置１８が置き忘れられたことを検出して運転者に通知する処理手順を示すフローチャート図の一例を示す。
【００４８】
遠隔操作装置は、例えばエンジンが停止して所定時間が経過した場合、図３の処理を実行する。まず、遠隔操作装置は、侵入センタ１５により車内に乗員がいるか否かを判定する（Ｓ２１）。
【００４９】
車内に乗員がいると判定された場合（ステップＳ２１のＹｅｓ）、当該乗員が運転者やその知り合いなど、車両に悪意のない人物か否かを判定処理する（Ｓ２７）。例えば、遠隔操作装置は、車内を撮影してユーザに送信し当該乗員が知り合いか否か等を判別させる等の泥棒検出処理を行う。
【００５０】
車内に乗員がいないと判定された場合（ステップＳ２１のＮｏ）、キーレスエントリ装置１９は、車内に携帯装置１８があるか否かを判定する（Ｓ２２）。
【００５１】
車内に乗員がおらずかつ車内に携帯装置１８がない場合（ステップＳ２２のＮｏ）、ユーザは携帯装置１８を携帯して車両から離れたと推定できるので、図３の処理を終了する。
【００５２】
車内に乗員がおらずかつ車内に携帯装置１８がある場合（ステップＳ２２のＹｅｓ）、携帯装置１８が車内に置き忘れられた可能性があるため、遠隔操作装置は、距離判定手段１６により、携帯装置１１と自車両との距離が所定以上であるか否かを判定する（Ｓ２３）。かかる判定により、一時的に車両を離れ車両周辺にユーザ（運転者）がいるのか、携帯装置１８を置き忘れたのか、を判定できる。
【００５３】
携帯装置１１と自車両との距離が所定以上でない場合（ステップＳ２３のＮｏ）、ユーザは車両の周辺にいるので、携帯装置１８を置き忘れたわけではないものとして、図３の処理を終了する。
【００５４】
携帯装置１１と自車両との距離が所定以上の場合（ステップＳ２３のＹｅｓ）、ユーザが携帯装置１８を車内に置き忘れたと判定して、遠隔操作装置１０は携帯装置１８が車内に存在する旨を携帯装置１１（ユーザ）に送信する（Ｓ２４）。
【００５５】
また、ユーザは車両から離れているのであるから、ユーザが携帯装置１８を用いて車載装置１７を操作することはないため、遠隔操作装置は、携帯装置１８による車載装置の操作を制限する（Ｓ２５）。これにより、例えば、第三者が車両に乗車して携帯装置１８を用いてエンジンを始動し車両を運転したり、悪戯にドアをロックしたりすること防止できる。
【００５６】
ユーザは、携帯装置１１により、携帯装置１８が車内に存在する旨の連絡を受信し、携帯装置１１を用いて車載装置１７を遠隔操作する（Ｓ２６）。例えば、携帯装置１８が車内にある場合、車両のドアがロックされていないので、ユーザは遠隔操作によりドアをロックする。また、エンジンの不意の始動や車両の盗難行為の検出などセキュリティ機能を作動させる。
【００５７】
本実施例によれば、携帯装置１８を車内に置き忘れた場合でも、ユーザは置き忘れたことを認識でき、また、自車両とユーザの距離を検出することで携帯装置１８が車内にあっても遠隔操作が受けつけられ、ドアのロックなどセキュリティを確保することができる。
【００５８】
以上のように、本実施の形態の遠隔操作装置は、車両にキーレスエントリのキー（携帯装置１８）が置き忘れられていても、置き忘れられていること確実に判定し、遠隔操作により車載装置を操作することができる。また、車両にキーが置き忘れられていることをユーザ（運転者）に連絡できるので、ユーザは遠隔操作により車載装置を制御しセキュリティを確保することができる。
【図面の簡単な説明】
【００５９】
【図１】遠隔操作により車載装置の操作が可能なリモート制御システムの全体構成図である。
【図２】リモート制御システムにより車載装置の遠隔操作を行う処理の流れを示すフローチャート図の一例である。
【図３】携帯装置が置き忘れられたことを遠隔操作装置が検出して運転者に通知する処理手順を示すフローチャート図の一例である。
【符号の説明】
【００６０】
１１    携帯装置（携帯電話）
１２    センタ
１３    受信装置
１４    コントローラ
１５    侵入センサ
１６    距離判定手段
１７    車載装置
１８    携帯装置（キーレスエントリのキー）
１９    キーレスエントリ装置
【図１】
2006316455.tif 000003
【図２】
2006316455.tif 000004
【図３】
2006316455.tif 000005